(57)【要約】      （修正有）【課題】携帯し持ち運びするかばん等の収納ユニットの外部にソーラーパネルを取り付けて、蓄電することができる太陽光充電装置を提供する。【解決手段】太陽光転換ユニット３は、少なくとも一つのソーラーパネル３１と、ソーラーパネルを電気連接する変換用基板３２とを含む。当該ソーラーパネル３１及び変換用基板３２は、握柄ユニット２の框体２１に設け、当該ソーラーパネル３１の吸光面３１１は、中空部２１１と対応させ、当該握柄ユニット２の一面を露出させる。充電バッテリー４は、収納ユニット１と握柄ユニット２の框体２１の間に設け、太陽光転換ユニット３の変換用基板３２により電気接続する。【選択図】図２
0003150709.tif 000002
【実用新案登録請求の範囲】
【請求項１】
少なくとも一つの容置溝を有する収納ユニットと、少なくとも収納ユニットに近傍した端縁処で設けられた一つの握柄ユニットと、少なくとも一つの握柄ユニットと結合する太陽光転換ユニットと、収納ユニット及び握柄ユニットの間に設けられてしかも太陽光転換ユニットと電気連接する充電バッテリーと、を含むことを特徴とする太陽光充電装置。
【請求項２】
前記収納ユニット１は、かばん、スーツケース、ぶくろ、ブリーフケース、或いはリュックサックとなることができることを特徴とする、請求項１に記載の太陽光充電装置。
【請求項３】
前記握柄ユニットは、框体を含み、当該框体は、中空部と当該框体の端縁に延伸していた握柄を有して、当該框体は、当該収納ユニットを固接して、当該太陽光転換ユニットと当該充電バッテリーは、当該框体に設けられており、しかも当該太陽光転換ユニットは、当該中空部と対応することを特徴とする、請求項１に記載の太陽光充電装置。
【請求項４】
前記框体は、複数の固定部品及び前記収納ユニットを固接することを特徴とする、請求項３に記載の太陽光充電装置。
【請求項５】
前記太陽光転換ユニットは、ソーラーパネル（solar panel）と、当該ソーラーパネル（solar panel）を電気連接する変換用基板を有して、当該ソーラーパネル（solar panel）は、当該握柄ユニットの一面を露出することを特徴とする、請求項１に記載の太陽光充電装置。
【考案の詳細な説明】
【技術分野】
【０００１】
本考案は、太陽光充電装置に関し、特に、即刻に充電できることと電気エネルギーを節約すること等の優れた高効率に達することに関するものである。
【背景技術】
【０００２】
従来に、品物を収納するためのかばん、スーツケース、ぶくろ、ブリーフケース、リュックサック等の収納ユニット５（図１に示されるように）は、普通に容置溝５１と、収納ユニット５の端縁処で設けられたハンドル５２と、を含み、それによって、収納ユニット５の容置溝５１で必要な品物を収納した後、使用者は、ハンドル５２でそれを持ち出掛けるため、伴って携帯する効果に達する。
【０００３】
上述した従来の収納ユニット５は、品物を収納する目的に達した後、使用者が、それを持ち出掛けるという効果があるけれど、当該収納ユニット５は、品物を収納する機能以外、他の機能がありません。従って、持ち出掛けるという効果を充分に利用しれば、当該収納ユニット５をいっそう高い実用性に発揮することができる。それによって、本考案者は、まじめに研究して、収納ユニット５が携帯で出掛られる特性を利用して、収納ユニット５を太陽光で充電する装置に設計しており、更に当該収納ユニット５を実用性に合わさせる。
【考案の概要】
【考案が解決しようとする課題】
【０００４】
本考案の目的は、使用者が、収納ユニットを持ち出掛ける場合に、太陽光転換ユニットを利用することで、外部の光を電気エネルギーに転換させることができて、更に充電バッテリーを充電させており、即刻に充電できることと電気エネルギーを節約すること等の優れた高効率に達する。
【課題を解決するための手段】
【０００５】
請求項１の考案は、少なくとも一つの容置溝を有する収納ユニットと、少なくとも収納ユニットに近傍した端縁処で設けられた一つの握柄ユニットと、少なくとも一つの握柄ユニットと結合する太陽光転換ユニットと、収納ユニット及び握柄ユニットの間に設けられてしかも太陽光転換ユニットと電気連接する充電バッテリーと、を含むことを特徴とする太陽光充電装置としている。
請求項２の考案は、前記収納ユニット１は、かばん、スーツケース、ぶくろ、ブリーフケース、或いはリュックサックとなることができることを特徴とする、請求項１に記載の太陽光充電装置としている。
請求項３の考案は、前記握柄ユニットは、框体を含み、当該框体は、中空部と当該框体の端縁に延伸していた握柄を有して、当該框体は、当該収納ユニットを固接して、当該太陽光転換ユニットと当該充電バッテリーは、当該框体に設けられており、しかも当該太陽光転換ユニットは、当該中空部と対応することを特徴とする、請求項１に記載の太陽光充電装置としている。
請求項４の考案は、前記框体は、複数の固定部品及び前記収納ユニットを固接することを特徴とする、請求項３に記載の太陽光充電装置としている。
請求項５の考案は、前記太陽光転換ユニットは、ソーラーパネル（solar panel）と、当該ソーラーパネル（solar panel）を電気連接する変換用基板を有して、当該ソーラーパネル（solar panel）は、当該握柄ユニットの一面を露出することを特徴とする、請求項１に記載の太陽光充電装置としている。
【考案の効果】
【０００６】
使用者は、収納ユニットを持ち出掛ける場合に、太陽光転換ユニットを利用することで、外部の光を電気エネルギーに転換させることができて、更に充電バッテリーを充電させており、即刻に充電できることと電気エネルギーを節約すること等の優れた高効率に達する。
【図面の簡単な説明】
【０００７】
【図１】従来技術の立体外観図である。
【図２】本考案に係る立体分解図である。
【図３】本考案に係る立体外観図である。
【図４】本考案に係る断面図である。
【考案を実施するための形態】
【０００８】
図２、図３及び図４に示されるように参照して、図２は、本考案に係る立体分解図であって、図３は、本考案に係る立体外観図であって、図４は、本考案に係る断面図である。本考案は、太陽光充電装置であり、収納ユニット１と、少なくとも一つの握柄ユニット２と、少なくとも一つの太陽光転換ユニット３と、少なくとも一つの充電バッテリー４と、を含む。  
【０００９】
前記収納ユニット１は、少なくとも一つの容置溝１１を有して、しかも当該収納ユニット１は、かばん、スーツケース、ぶくろ、ブリーフケース、或いはリュックサックとなることができる。
【００１０】
すべての握柄ユニット２は、前記収納ユニット１に近傍した端縁処で、それぞれ設けられており、当該握柄ユニット２は、少なくとも一つの中空部２１１を有する框体２１と、框体２１の端縁に延伸していた握柄２２と、を含み、当該框体２１は、多数の固定部品２１２及び収納ユニット１を固接する。
【００１１】
当該太陽光転換ユニット３は、当該握柄ユニット２を結合しており、当該太陽光転換ユニット３は、少なくとも一つのソーラーパネル（solar panel）３１と、ソーラーパネル（solar panel）を電気連接する変換用基板３２と、を含み、当該ソーラーパネル（solar panel）３１及び変換用基板３２は、握柄ユニット２の框体２１に設けられており、しかも当該ソーラーパネル（solar panel）３１の吸光面３１１は、中空部２１１と対応しており、当該握柄ユニット２の一面を露出する。
【００１２】
当該充電バッテリー４は、収納ユニット１と握柄ユニット２の框体２１の間に設けられており、太陽光転換ユニット３の変換用基板３２を電気連接する。従って、上述の結構は、全新の太陽光充電装置を構成する。
【００１３】
使用者は、使用する際に、収納ユニット１の容置溝１１で必要な品物を収納しており、当該握柄ユニット２の握柄２２を持ち出掛けることができる。使用者は、当該収納ユニット１を携帯して出掛けている時、太陽光転換ユニット３のソーラーパネル（solar panel）３１が、対応する中空部２１１の吸光面３１１は、外部環境の光源を吸収するため、当該吸収された光源が、変換用基板３２を通って電気エネルギーに変換させており、充電バッテリー４が、充電することを進める。充電した後、使用者は、充電バッテリー４を取り出して、電子製品に使用させることができる。使用者は、いつでも本考案を携帯して出掛けられるため、外出する時、即刻に充電できる効率を達して、しかも光エネルギーを電気エネルギーに変換することで充電を進める時、いっそう有効に電力を節約することができる。
【００１４】
以上をまとめて、本考案に係る太陽光充電装置は、有効に従来の様々な欠点を改善して、、使用者は、収納ユニットを携帯して外出する時、太陽光転換ユニットを利用して、外部の光源を電気エネルギーに変換させて、更に充電バッテリーが充電を進めて、それによって、即刻に充電できることと電気エネルギーを節約すること等の優れた高効率に達する。本考案は、いっそう進歩性、実用性をもたらして、更に、使用者の需要を合わせる。
【００１５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００１６】
５      収納ユニット
５１    容置溝
５２    ハンドル
１      収納ユニット
１１    容置溝
２      握柄ユニット
２１    框体
２１１  中空部
２１２  固定部品
２２    握柄
３      太陽光転換ユニット
３１    ソーラーパネル（solar panel）
３１１  吸光面
３２    変換用基板
４      充電バッテリー
【図１】
0003150709.tif 000003
【図２】
0003150709.tif 000004
【図３】
0003150709.tif 000005
【図４】
0003150709.tif 000006